(57)【要約】【課題】  携帯電話を用いて、商品購入時に顧客は店舗内で購入する商品を持ち歩く必要をなくして決済することができる商品購入システムを得る。【解決手段】  携帯電話２１の認証機能７により、短距離通信を用いて商品２４に一意に対応した商品ＩＤ２５を取得し、この取得された商品ＩＤ２５を決済機２３に送信し、決済機２３では、読取手段１１により携帯電話２１の認証機能７から商品ＩＤ２５を読取り、この商品ＩＤ２５に対応する商品２４の価格が格納された商品データベースを参照して、商品の価格を表示部１４に表示して操作者による決済を行うことにより商品２４の受け渡しを行い、携帯電話２１では、この商品２４の購入履歴を購入履歴情報２２として保存して、次回の購入の参考にするようにした。【選択図】図３
2005196494.tif 000002
【特許請求の範囲】
【請求項１】
商品から上記商品に一意に対応した商品ＩＤを取得し、この取得された商品ＩＤを送信する携帯電話、及びこの携帯電話により送信された商品ＩＤに基づき上記商品の価格を表示する決済機を備え、上記携帯電話は、短距離通信を用いて商品から上記商品に一意に対応した商品ＩＤを取得すると共に上記取得された商品ＩＤを上記決済機に送信する認証手段を有し、上記決済機は、上記携帯電話から上記商品ＩＤを受信する読取手段と、上記商品ＩＤ及びこの商品ＩＤに対応する商品の価格が格納された商品データベースと、上記読取手段により受信された上記商品ＩＤに基づき上記商品データベースから得られる上記商品の価格を表示する表示手段とにより構成されていることを特徴とする商品購入システム。
【請求項２】
商品から上記商品に一意に対応した商品ＩＤを取得し、この取得された商品ＩＤを送信する携帯電話、及びこの携帯電話により送信された商品ＩＤに基づき上記商品の価格を表示する決済機を備え、上記携帯電話は、短距離通信を用いて商品から上記商品に一意に対応した商品ＩＤを取得する認証手段と、この認証手段により取得された上記商品ＩＤを無線で上記決済機に送信する無線手段とにより構成され、上記決済機は、上記携帯電話から上記商品ＩＤを受信する通信手段と、上記商品ＩＤ及びこの商品ＩＤに対応する商品の価格が格納された商品データベースと、上記通信手段により受信された上記商品ＩＤに基づき上記商品データベースから得られる上記商品の価格を表示する表示手段とにより構成されていることを特徴とする商品購入システム。
【請求項３】
上記携帯電話は、購入した商品の履歴を保存する購入履歴情報を有することを特徴とする請求項１または請求項２記載の商品購入システム。
【請求項４】
商品広告データベースに格納された広告データがネットワークを介して上記携帯電話に送信され、上記携帯電話は、上記送信された広告データと上記購入履歴情報とを比較することにより上記広告データを選別し、この選別された上記広告データを表示する表示手段を有することを特徴とする請求項３記載の商品購入システム。
【発明の詳細な説明】
【技術分野】
【０００１】
この発明は、携帯電話を用いて商品購入の決済を行うようにした商品購入システムに関する。
【背景技術】
【０００２】
携帯電話の認証機能を用いて、店舗上で商品購入および履歴管理を行う方法としては、商品清算時に認証・登録を行う方法、商品未清算時に認証する方法が挙げられる。前者としては、特許文献１が当てはまる。
商品購入履歴を用いた広告提示においては、特許文献２、特許文献３のように、サーバに購入履歴を保存し、サーバ側で管理している情報を元に顧客に広告を提示する方法が一般的である。
【０００３】
【特許文献１】特開２００２−３５２３２１号公報（第３〜５頁、図１）
【特許文献２】特開２００３−０４４７７２号公報（第７〜９頁、図１）
【特許文献３】特開２００２−３２４２６３号公報（第４〜７頁、図１）
【発明の開示】
【発明が解決しようとする課題】
【０００４】
しかし特許文献１を含む商品清算時に認証・登録を行う方法、商品未清算時に認証する方法では、携帯電話を用いない場合と比べて、端末に認証させる手間が必ず発生する他、店舗内で購入する商品は、従来どおり顧客が持ち歩かなければならないという問題がある。
また、特許文献２、特許文献３のような、商品購入履歴を用いた広告提示においては、顧客の購入履歴には生活スタイルや個人の嗜好を想定可能な要素が多数含まれているため、それをサーバ側で商店が管理する場合には顧客のプライバシーに対する取り扱いが問題となる。逆に、顧客購入履歴をサーバで管理しない場合には、顧客に合わせた広告提示を行うことが難しいという問題点も存在する。
【０００５】
この発明は、上述のような課題を解決するためになされたものであり、携帯電話を用いて、商品購入時に顧客は店舗内で購入する商品を持ち歩く必要をなくして決済することができる商品購入システムを得ることを目的にしている。
【課題を解決するための手段】
【０００６】
この発明に係わる商品購入システムにおいては、商品から商品に一意に対応した商品ＩＤを取得し、この取得された商品ＩＤを送信する携帯電話、及びこの携帯電話により送信された商品ＩＤに基づき商品の価格を表示する決済機を備え、携帯電話は、短距離通信を用いて商品から商品に一意に対応した商品ＩＤを取得すると共に取得された商品ＩＤを決済機に送信する認証手段を有し、決済機は、携帯電話から商品ＩＤを受信する読取手段と、商品ＩＤ及びこの商品ＩＤに対応する商品の価格が格納された商品データベースと、読取手段により受信された商品ＩＤに基づき商品データベースから得られる商品の価格を表示する表示手段とにより構成されているものである。
【発明の効果】
【０００７】
この発明は、以上説明したように、商品から商品に一意に対応した商品ＩＤを取得し、この取得された商品ＩＤを送信する携帯電話、及びこの携帯電話により送信された商品ＩＤに基づき商品の価格を表示する決済機を備え、携帯電話は、短距離通信を用いて商品から商品に一意に対応した商品ＩＤを取得すると共に取得された商品ＩＤを決済機に送信する認証手段を有し、決済機は、携帯電話から商品ＩＤを受信する読取手段と、商品ＩＤ及びこの商品ＩＤに対応する商品の価格が格納された商品データベースと、読取手段により受信された商品ＩＤに基づき商品データベースから得られる商品の価格を表示する表示手段とにより構成されているので、商品購入時に顧客は、商品を店舗内で持ち歩く必要がなく商品の決済を行うことができ、店舗側も商品盗難を抑制することができる。
【発明を実施するための最良の形態】
【０００８】
実施の形態１．
図１は、この発明の実施の形態１による携帯電話を示す構成図である。
図１において、携帯電話は、音声部１からの入力を制御部２で処理し、無線部３を用いることにより音声通信を行う。また音声部１や操作部４からの入力を受けることにより、制御部２の処理により表示部５にて画面表示される。携帯電話内のデータは、制御部２により記憶装置６に保存される。携帯電話は、赤外線通信・バーコード認証など外部から短距離通信を用いて、データ取得可能な認証機能７（認証手段）を持つ。また、認証機能７は、外部でデータ送信可能な機構を持つ場合もある。
【０００９】
図２は、この発明の実施の形態１による決算機を示す構成図である。
図２において、例えば店舗内に配置された決済機は、携帯電話の認証機能７に対応した読取機能１１（読取手段）により、携帯電話から商品ＩＤを取得し、制御部１２により取得した商品ＩＤと商品ＤＢ１３を比較することにより、商品価格を取得する。その結果を表示部１４（表示手段）に表示して、操作部１５により決済処理を行う。
【００１０】
図３は、この発明の実施の形態１による店舗内の商品購入システムを示す構成図である。
図３において、７は図１におけるものと、１１は図２におけるものとそれぞれ同一のものである。携帯電話２１は、認証機能７及び購入履歴情報２２を有する。決済機２３は、携帯電話２１の認証機能７に対応した読取機能１１を有する。商品２４は、携帯電話２１を用いて購入される店舗内の商品であり、商品２４と一意に対応した商品ＩＤ２５を有する。
図４は、この発明の実施の形態１による商品ＩＤを示す図である。
図４において、商品ＩＤと属性と商品名が含まれている。
【００１１】
次に、動作について説明する。
図３では、顧客は、店舗内で携帯電話２１を保持して商品購入を行う。携帯電話２１に備わっている認証機能７を用いて店舗内の商品２４と一意に対応した商品ＩＤ２５を認証することにより、購入する商品ＩＤを取得する。図４に商品ＩＤの一例を示す。
顧客は、店舗内においては、商品自体を持ち歩くことなく商品ＩＤリストを携帯電話２１内に保持するのみとなる。また、購入時には過去に購入した履歴を示す購入履歴情報２２を閲覧し、商品購入時の参考とすることができる。商品２４を購入する際には、店舗内に配置された決済機２３に、携帯電話２１の認証機能７の短距離通信を用いて商品ＩＤリストを送信し、決済機２３の読取機能１１により商品ＩＤデータが決済機２３に受信される。決済機２３は、受信した商品ＩＤデータにより顧客購入商品を判別して金額を計算する。通常の紙幣による決済完了後、顧客は、商品ＩＤリストに対応した商品２４を店舗側から受け取る。
【００１２】
実施の形態１によれば、携帯電話に備わっている認証機能を用いて店舗内の商品の商品ＩＤを認証することにより、購入する商品ＩＤを取得することができ、顧客は、購入する商品を持ち運ぶ必要がなく、商品を購入することができる。
【００１３】
実施の形態２．
図５は、この発明の実施の形態２による店舗内の商品購入システムを示す構成図である。
図５においては、７、２１〜２５は図３におけるものと、３は図１におけるものとそれぞれ同一のものである。決済機２３は、ネットワーク３２に接続された通信機能３１（通信手段）を有する。
【００１４】
図５では、決済機２３への商品ＩＤリストの送信に携帯電話２１の無線部３を用いる。無線部３（無線手段）により商品リストは、ネットワーク３２経由で送信され、決済機２３の通信機能３１により、商品ＩＤリストを受信する。
【００１５】
実施の形態２によれば、決済機２３は、無線通信により商品ＩＤリストを受信するので、決済機の設置場所が離れている場合にも、便利に決済を行うことができる。
【００１６】
実施の形態３．
図６は、この発明の実施の形態３による広告提示システムを示す構成図である。
図６において、３、５は図１におけるものと、２１、２２は図３におけるものとそれぞれ同一のものである。携帯電話２１は、図１の構成に加えて、購入履歴情報２２と販売促進用データ４３を有する。商品広告ＤＢ４１（商品広告データベース）は、ネットワークに接続され、広告データ４２を有している。
図７は、この発明の実施の形態３による広告データと購入履歴を示す図である。
図７において、広告データには、複数の割引データとその分類内容が含まれる。分類内容は、携帯電話内の購入履歴の１部と一致している。
【００１７】
次に、動作について説明する。
図６では、商店は、ネットワークに接続された商品広告ＤＢ４１をもとに広告データ４２を多数作成する。広告データ４２は、ネットワークを経由して携帯電話２１の無線部３へ送信される。携帯電話２１は、受信した広告データ４２と、商品の購入履歴を保持している購入履歴情報２２のマッチングを取ることにより、顧客の購入履歴を元にした広告データ４２を選別し、選別された１部の広告データ４２を販売促進用データ４３として、表示部５（表示手段）へ画面表示する。顧客は、表示部５に表示された販売促進用データ４３を参照し、商品を購入する。
【００１８】
図７に示されるように、広告データには、複数の割引データとその分類内容が含まれ、分類内容は、携帯電話内の購入履歴の１部と一致している。送信された広告データ４２と購入履歴情報２２の各分類ごとを比較することにより、顧客の履歴との親和性が高い広告データ４２を顧客に提示することができる。
【００１９】
実施の形態３によれば、携帯電話の商品の購入履歴情報を用いて、広告データを選別することにより、顧客との親和性の高い広告データを表示することができる。
【図面の簡単な説明】
【００２０】
【図１】この発明の実施の形態１による携帯電話を示す構成図である。
【図２】この発明の実施の形態１による決算機を示す構成図である。
【図３】この発明の実施の形態１による店舗内の商品購入システムを示す構成図である。
【図４】この発明の実施の形態１による商品ＩＤを示す図である。
【図５】この発明の実施の形態２による店舗内の商品購入システムを示す構成図である。
【図６】この発明の実施の形態３による広告提示システムを示す構成図である。
【図７】この発明の実施の形態３による広告データと購入履歴を示す図である。
【符号の説明】
【００２１】
１  音声部
２  制御部
３  無線部
４  操作部
５  表示部
６  記憶装置
７  認証機能
１１  読取機能
１２  制御部
１３  商品ＤＢ
１４  表示部
１５  操作部
２１  携帯電話
２２  購入履歴情報
２３  決済機
２４  商品
２５  商品ＩＤ
４１  商品広告ＤＢ
４２  広告データ
４３  販売促進用データ
【図１】
2005196494.tif 000003
【図２】
2005196494.tif 000004
【図３】
2005196494.tif 000005
【図４】
2005196494.tif 000006
【図５】
2005196494.tif 000007
【図６】
2005196494.tif 000008
【図７】
2005196494.tif 000009